(57)【要約】【課題】  ＩＣタグリーダを必要とせず、かつ信頼性を低下させることなく対象物の真贋判定を行うことができる通信システムを提供する。【解決手段】  真贋判定の対象物に取り付けられた無線ＩＣタグ１０と、該無線ＩＣタグにネットワーク５０，６０を介して接続される真贋判定装置２０と、真贋判定依頼者が使用する端末装置３１とを有する通信システムであって、無線ＩＣタグは、乱数を発生する乱数発生手段と、該乱数発生手段が発生した乱数を表示する表示手段と、発生した乱数を送信する第１の送信手段とを有し、端末装置は、前記無線ＩＣタグが発生した乱数を読み取り、ネットワークを介して真贋判定装置ヘ送信し、真贋判定装置は、無線ＩＣタグ及び端末装置が送信する乱数を受信する受信手段と、無線ＩＣタグ及び端末装置から受信した乱数の照合結果に基づいて真贋判定を行う制御手段と、真贋判定結果を端末装置に送信する第２の送信手段とを有する。【選択図】    図１
2006195799.tif 000002
【特許請求の範囲】
【請求項１】
真贋判定の対象物に取り付けられた無線ＩＣタグと、該無線ＩＣタグにネットワークを介して接続され、前記対象物の真贋判定を行う真贋判定装置と、該真贋判定装置と前記ネットワークを介して接続される真贋判定依頼者が使用する端末装置とを有する通信システムであって、
前記無線ＩＣタグは、乱数を発生する乱数発生手段と、該乱数発生手段が発生した乱数を表示する表示手段と、前記発生した乱数を送信する第１の送信手段とを有し、
前記端末装置は、前記無線ＩＣタグが発生した乱数を読み取り、前記ネットワークを介して前記真贋判定装置ヘ送信し、
前記真贋判定装置は、前記無線ＩＣタグ及び前記端末装置が送信する乱数を受信する受信手段と、前記無線ＩＣタグ及び前記端末装置から受信した乱数の照合結果に基づいて真贋判定を行う制御手段と、該制御手段による判定結果を前記端末装置に送信する第２の送信手段とを有することを特徴とする通信システム。
【請求項２】
前記無線ＩＣダグにはネットワーク内で通信を行うために必要な固有のＩＤが与えられ、
前記真贋判定装置の制御手段は、タグから送信されてくる乱数とともに、通信プロトコル上のシグナリングにより前記乱数を送信した無線ＩＣタグのＩＤを認識し、該ＩＤを前記乱数とともに保持することを特徴とする請求項１に記載の通信システム。
【請求項３】
前記無線ＩＣタグは、さらに、該無線ＩＣタグに付与された固有のＩＤを保持するＩＤ保持手段を有し、
前記無線ＩＣタグでは、前記第１の送信手段が、前記乱数発生手段が発生した乱数とともに前記ＩＤ保持手段に保持されている固有のＩＤを、前記ネットワークを介して前記真贋判定装置に送信し、
前記端末装置は、前記無線ＩＣタグが発生した乱数と共に前記無線タグ固有のＩＤを前記真贋判定装置に送信し、
前記真贋判定装置では、前記受信手段は前記無線タグ及び前記端末装置から乱数及びＩＤの組のデータを受信し、前記制御手段は前記無線ＩＣタグから受信したＩＤと前記端末装置から受信したＩＤとが一致した場合にのみ前記無線ＩＣタグ及び前記端末装置から受信した乱数を照合し、該照合結果に基づいて真贋判定を行うことを特徴とする請求項１に記載の通信システム。
【請求項４】
真贋判定の対象物に取り付けられた無線ＩＣタグと、該無線ＩＣタグにネットワークを介して接続され、前記対象物の真贋判定を行う真贋判定装置と、該真贋判定装置と前記ネットワークを介して接続される真贋判定依頼者が使用する端末装置とを有する通信システムにおける真贋判定方法であって、
前記無線ＩＣタグでは、乱数発生手段により乱数を発生し、該乱数を表示手段により表示するとともに、前記発生した乱数を送信手段により送信し、
前記端末装置では、前記無線ＩＣタグが発生した乱数を読み取り、前記ネットワークを介して前記真贋判定装置ヘ送信し、
前記真贋判定装置では、前記無線ＩＣタグ及び前記端末装置が送信する乱数を受信手段により受信し、制御手段により前記無線ＩＣタグ及び前記端末装置から受信した乱数の照合結果に基づいて真贋判定を行い、該制御手段による判定結果を送信手段により前記端末装置に送信することを特徴とする真贋判定方法。
【請求項５】
前記無線ＩＣダグにはネットワーク内で通信を行うために必要な固有のＩＤが与えられ、
前記真贋判定装置では、前記制御手段により、タグから送信されてくる乱数とともに、通信プロトコル上のシグナリングにより前記乱数を送信した無線ＩＣタグのＩＤを認識し、該ＩＤを前記乱数とともに保持することを特徴とする請求項４に記載の真贋判定方法。
【請求項６】
前記無線ＩＣタグは、さらに、該無線ＩＣタグに付与された固有のＩＤをＩＤ保持手段により保持し、
前記無線ＩＣタグでは、前記送信手段により、前記乱数発生手段が発生した乱数とともに前記ＩＤ保持手段に保持されている固有のＩＤを、前記ネットワークを介して前記真贋判定装置に送信し、
前記端末装置では、前記無線ＩＣタグが発生した乱数と共に前記無線ＩＣタグ固有のＩＤを前記真贋判定装置に送信し、
前記真贋判定装置では、前記無線ＩＣタグ及び前記端末装置から乱数及びＩＤの組のデータを前記受信手段により受信し、前記制御手段により、前記無線ＩＣタグから受信したＩＤと前記端末装置から受信したＩＤとが一致した場合にのみ前記無線ＩＣタグ及び前記端末装置から受信した乱数を照合し、該照合結果に基づいて真贋判定を行うことを特徴とする請求項４に記載の真贋判定方法。
【発明の詳細な説明】
【技術分野】
【０００１】
本発明は、ＩＣタグリーダを必要とすることなく、無線ＩＣダグを用いて簡便に物品の真贋判定を行うことができる通信システム及び真贋判定方法に関する。
【背景技術】
【０００２】
ブランド品（鞄、服、食品など）や美術品などの高付加価値品に無線ＩＣタグ（ＲＦＩＤ、ＩＣタグ）を取り付けることによる真贋判定方法を行う方法がある。ＩＣタグはチップの製造時に書き換えの不可能な識別情報であるＩＤが品物に割り振られ、適当なＩＣタグリーダでＩＤを読み取り、予めＩＤに対応づけて品物の関連情報が蓄積されたデータベースと照合することにより、ＩＣタグが取り付けられた品物の真贋判定、さらには製造されてからの流通経路／状態などの証明を可能とするものである（非特許文献１参照)。
【非特許文献１】日経エレクトロニクス２−２５  ２００２Ｎｏ．８１６，株式会社日経ＢＰ，２００２年２月２５日発行，ｐ．１０９−１３７（特にｐ１２３ページ最後の段落）
【発明の開示】
【発明が解決しようとする課題】
【０００３】
しかしながら、上記従来技術では、真贋判定を行おうとする者はＩＣタグリーダが必要となる。通常、ブランド物などの真贋判定は入手した時に一度行えば十分であり、そのために高価な（通常、数万円）ＩＣタグリーダを購入する事は不経済である。
【０００４】
本発明は、このような事情に鑑みてなされたものであり、ＩＣタグリーダを必要とせず、かつ信頼性を低下させることなく対象物の真贋判定を行うことができる通信システム及び真贋判定方法を提供することを目的とする。
【課題を解決するための手段】
【０００５】
上記目的を達成するために請求項１に記載の発明は、真贋判定の対象物に取り付けられた無線ＩＣタグと、該無線ＩＣタグにネットワークを介して接続され、前記対象物の真贋判定を行う真贋判定装置と、該真贋判定装置と前記ネットワークを介して接続される真贋判定依頼者が使用する端末装置とを有する通信システムであって、前記無線ＩＣタグは、乱数を発生する乱数発生手段と、該乱数発生手段が発生した乱数を表示する表示手段と、前記発生した乱数を送信する第１の送信手段とを有し、前記端末装置は、前記無線ＩＣタグが発生した乱数を読み取り、前記ネットワークを介して前記真贋判定装置ヘ送信し、前記真贋判定装置は、前記無線ＩＣタグ及び前記端末装置が送信する乱数を受信する受信手段と、前記無線ＩＣタグ及び前記端末装置から受信した乱数の照合結果に基づいて真贋判定を行う制御手段と、該制御手段による判定結果を前記端末装置に送信する第２の送信手段とを有することを特徴とする。
【０００６】
また、請求項２に記載の発明は、請求項１に記載の通信システムにおいて、前記無線ＩＣダグにはネットワーク内で通信を行うために必要な固有のＩＤが与えられ、前記真贋判定装置の制御手段は、無線ＩＣタグから送信されてくる乱数とともに、通信プロトコル上のシグナリングにより前記乱数を送信した無線ＩＣタグのＩＤを認識し、該ＩＤを前記乱数とともに保持することを特徴とする。
【０００７】
また、請求項３に記載の発明は、請求項１に記載の通信システムにおいて、前記無線ＩＣタグは、さらに、該無線ＩＣタグに付与された固有のＩＤを保持するＩＤ保持手段を有し、前記無線ＩＣタグでは、前記第１の送信手段が、前記乱数発生手段が発生した乱数とともに前記ＩＤ保持手段に保持されている固有のＩＤを、前記ネットワークを介して前記真贋判定装置に送信し、前記端末装置は、前記無線ＩＣタグが発生した乱数と共に前記無線ＩＣタグ固有のＩＤを前記真贋判定装置に送信し、前記真贋判定装置では、前記受信手段は前記無線ＩＣタグ及び前記端末装置から乱数及びＩＤの組のデータを受信し、前記制御手段は前記無線タグから受信したＩＤと前記端末装置から受信したＩＤとが一致した場合にのみ前記無線タグ及び前記端末装置から受信した乱数を照合し、該照合結果に基づいて真贋判定を行うことを特徴とする。
【０００８】
また、請求項４に記載の発明は、真贋判定の対象物に取り付けられた無線ＩＣタグと、該無線ＩＣタグにネットワークを介して接続され、前記対象物の真贋判定を行う真贋判定装置と、該真贋判定装置と前記ネットワークを介して接続される真贋判定依頼者が使用する端末装置とを有する通信システムにおける真贋判定方法であって、前記無線ＩＣタグでは、乱数発生手段により乱数を発生し、該乱数を表示手段により表示するとともに、前記発生した乱数を送信手段により送信し、前記端末装置では、前記無線ＩＣタグが発生した乱数を読み取り、前記ネットワークを介して前記真贋判定装置ヘ送信し、前記真贋判定装置では、前記無線ＩＣタグ及び前記端末装置が送信する乱数を受信手段により受信し、制御手段により前記無線ＩＣタグ及び前記端末装置から受信した乱数の照合結果に基づいて真贋判定を行い、該制御手段による判定結果を送信手段により前記端末装置に送信することを特徴とする。
【０００９】
また、請求項５に記載の発明は、請求項４に記載の真贋判定方法において、前記無線ＩＣダグにはネットワーク内で通信を行うために必要な固有のＩＤが与えられ、前記真贋判定装置では、前記制御手段により、無線ＩＣタグから送信されてくる乱数とともに、通信プロトコル上のシグナリングにより前記乱数を送信した無線ＩＣタグのＩＤを認識し、該ＩＤを前記乱数とともに保持することを特徴とする。
【００１０】
また、請求項６に記載の発明は、請求項４に記載の真贋判定方法において、前記無線ＩＣタグは、さらに、該無線ＩＣタグに付与された固有のＩＤをＩＤ保持手段により保持し、前記無線ＩＣタグでは、前記送信手段により、前記乱数発生手段が発生した乱数とともに前記ＩＤ保持手段に保持されている固有のＩＤを、前記ネットワークを介して前記真贋判定装置に送信し、前記端末装置では、前記無線ＩＣタグが発生した乱数と共に前記無線ＩＣタグ固有のＩＤを前記真贋判定装置に送信し、前記真贋判定装置では、前記無線ＩＣタグ及び前記端末装置から乱数及びＩＤの組のデータを前記受信手段により受信し、前記制御手段により、前記無線ＩＣタグから受信したＩＤと前記端末装置から受信したＩＤとが一致した場合にのみ前記無線タグ及び前記端末装置から受信した乱数を照合し、該照合結果に基づいて真贋判定を行うことを特徴とする。
【発明の効果】
【００１１】
本発明によれば、真贋判定対象物に取り付けられた無線ＩＣダダはそれ自身が広域無線アクセスネットワークを経由して真贋判定装置と通信するため、従来のようにＩＣタグリーダを用いる必要がなく、ユーザの利便性を向上させることができる。
【発明を実施するための最良の形態】
【００１２】
以下、本発明の実施形態を、図面を参照して詳細に説明する。
【００１３】
[第１実施形態]
本発明の第１実施形態に係る通信システムの構成を図１に示す。本実施形態に係る通信システムは、真贋判定の対象物４０に取り付けられた無線ＩＣタグ１０と、該無線ＩＣタグ１０にネットワーク５０、６０を介して接続され、対象物４０の真贋判定を行う真贋判定装置２０とを有する通信システムである。ここで、本実施形態では、ネットワーク５０は、公衆広域無線アクセスネットワークであり、ネットワーク６０はインターネットである。
また、インターネット６０には、真贋判定依頼者３０が使用する端末装置３１が接続されている。ここで、本明細書において「無線ＩＣタグ」とは、少なくとも自身の識別コード（ＩＤ）などの情報が記録されており、電波を使用して外部の管理システムと通信する機能を有している微小な無線ＩＣチップをいい、電源を内蔵するタイプと、電源を外部から供給されるタイプの両者を含むものとする。
【００１４】
図１において、真贋判定の対象物４０は、鞄である。一般に、真贋判定の対象物は可搬されることがあると考えるのが常識的であり、無線ＩＣタグ１０と真贋判定装置２０の間の通信は無線アクセス方式で実現される。
また、その場合、真贋判定対象物４０はその場所を限定することができないため、通信事業者が運用する公衆かつ広域の無線アクセスネットワークを利用することが望ましい。例えば、ＰＨＳ（登録商標）ネットワークや携帯電話ネットワーク等である。
一方、真贋判定依頼者３０は真贋判定装置２０ヘアクセスできれば有線アクセスネットワークでも無線アクセスネットワークでもどちらでも真贋判定依頼者３０の都合の良い方を利用すればよい。
【００１５】
上記構成において、無線ＩＣタグ１０では、乱数発生手段により乱数を発生し、該乱数を表示手段により表示するとともに、前記発生した乱数を送信手段により送信する。
真贋判定依頼者３０の端末装置３１では、無線ＩＣタグ１０が発生した乱数を読み取り、インターネット６０を介して真贋判定装置２０ヘ送信する。
真贋判定装置２０では、無線ＩＣタグ１０及び端末装置３１が送信する乱数を受信手段により受信し、制御手段により無線ＩＣタグ１０及び端末装置３１から受信した乱数の照合結果に基づいて真贋判定を行い、該制御手段による判定結果を送信手段により真贋判定依頼者３０の端末装置３１に送信する。
【００１６】
次に、図１に示した真贋判定の対象物４０に取り付けられた無線ＩＣタグ１０の具体的構成を図２に示す。同図において、無線ＩＣタグ１０は、乱数を発生する乱数発生手段１００と、該乱数発生手段１００が発生した乱数を表示する表示手段１１０と、乱数発生手段１００により発生した乱数を送信する送信手段１２０とを有している。送信手段１２０は本発明の第１の送信手段に相当する。
乱数発生手段１００は定期的に乱数を発生する。発生した乱数は表示手段１１０により表示されると同時に、送信手段１２０により、真贋判定装置２０（図１）へ送信される。これらへの電源供給は電源供給手段１３０により行われる。
電源供給手段１３０は、無線ＩＣタグ１０が電源内蔵タイプのものでは、例えばボタン型電池などが考えられるが、この限りではない。
【００１７】
次に、図１における真贋判定装置２０の具体的構成を図３に示す。同図において、真贋判定装置２０は、無線ＩＣタグ１０（図１）が送信する乱数を受信する第１の受信手段２００と、端末装置３１（図１）が送信する乱数を受信する第２の受信手段２１０と、無線タグ１０及び端末装置３１から受信した乱数の照合結果に基づいて真贋判定を行う制御手段２３０と、該制御手段２３０による判定結果を端末装置３１に送信する第２の送信手段２２０とを有している。ここで、制御手段は、乱数情報を一時的に保持するバッファ等の保持手段を含んで構成されている。なお、送信手段２２０は、本発明の第２の送信手段に相当する。
【００１８】
上記構成において、無線ＩＣタグ１０から定期的に送信される乱数情報は第１の受信手段２００により受信される。
また、図１に示した真贋判定依頼者３０が、真贋判定の対象物４０に取り付けられた無線ＩＣタグ１０における表示手段１１０（図２参照）により表示された乱数情報を目視により読み取り、端末装置３０に上記読み取った乱数情報を入力するか、あるいは端末装置３１が上記表示手段１１０により表示された乱数情報を読み取り、端末装置３１は該乱数情報をネットワークを介して真贋判定装置２０に送信する。
端末装置３１が送信した乱数情報は第２の受信手段２１０により受信される。
【００１９】
制御手段２３０は、無線ＩＣタグ１０及び端末装置３１から受信した２つの乱数情報を比較して、同じなら真贋判定対象物４０は本物、異なるなら贋物である旨のメッセージを送信手段２２０により端末装置３１へ送信する。この結果、真贋判定依頼者３０は、端末装置３１により真贋判定対象物４０の真贋判定結果を確認することができる。
なお、真贋判定装置２０はインターネット６０に接続されたサーバ等で実現することが出来る。
【００２０】
次に本発明の第１実施形態に係る通信システムにおける真贋判定装置の処理内容を図４に示す。同図において、真贋判定装置２０は、無線ＩＣタグ１０から定期的に送信されて来る乱数Ａを第１の受信手段２００により受信した後、最新の乱数Ａのみ保持する（ステップ３００）。ここで、無線ＩＣタグ、すなわち真贋判定対象物は一般に複数存在する。したがって、送信されてきた乱数が、ある無線ＩＣタグの更新された乱数なのか、別の無線ＩＣタグの乱数なのか識別する必要がある。
【００２１】
これは、ネットワークで情報を交換する際に必要となる無線ＩＣタグ１０に固有のＩＤ（例えば、ＩＰアドレスやＭＡＣアドレス）を読み取ることにより実現することが可能である。
真贋判定依頼者３０の使用する端末装置３１から乱数Ｂを第２の受信手段２１０により受信すると（ステップ３０１）、制御手段２３０内の保持手段により保持している乱数Ａと乱数Ｂの比較作業へ進む（ステップ３０２）。乱数Ａと乱数Ｂが同じなら真贋判定対象は本物である旨のメッセージを端末装置３１に送信する（ステップ３０３）。
また、乱数Ａと乱数Ｂが異なるなら贋物である旨のメッセージを端末装置３１に送信する（ステップ３０４）。
【００２２】
本発明の第１実施形態に係る通信システムによれば、真贋判定対象物に取り付けられた無線ＩＣタグは、それ自身が広域無線アクセスネットワークを経由して真贋判定装置と通信するため、従来のようにＩＣタグリーダを用いる必要がなく、ユーザの利便性を向上させることができる。
【００２３】
なお、無線ＩＣタグは真贋判定対象物から容易には取り外されないようにすることが重要である。なぜなら、無線ＩＣタグを取り外して贋物に取り付けてしまうと、その贋物が本物と判定されてしまい、真贋判定の信頼性が低下するからである。したがって、無線ＩＣタグを取り外すことにより無線ＩＣタグ自身が大きく破損してしまい、他の物（贋物）に付け替えても正しく動作しないか、あるいはまた、偽造した無線ＩＣタグを本物と同じように組み込むのに大きな困難を伴うようにすること等が有効である。例えば時計の場合だと、その心臓部である振動子を含むムーブメント部分と無線ＩＣタグを一体成形すればよい。
【００２４】
本発明と一見類似に見える方法に、認証方式であるワンタイムパスワード方式がある。これはワンタイムパスワード生成器が、あるアルゴリズムに従って生成する「使い捨てパスワード」を利用して認証を行うものである。
サーバ側でもワンタイムパスワード生成器と同じアルゴリズムを用いる。パスワード生成間隔は通常で１分程度であり、サーバとワンタイムパスワード生成器の間で時刻を同期させることにより１分間だけ有効な使い捨てパスワードとしている。
【００２５】
本発明でも無線ＩＣタグが一定間隔で乱数を発生させることで、それをワンタイムパスワード的に使用しているが、サーバ側で乱数発生器を動作させる必要のないこと、したがって無線ＩＣタグとサーバで時刻同期をとる必要がないことが上記ワンタイムパスワードとの相違点である。
ワンタイムパスワード方式では常時ネットワークに接続する必要はなく、真贋判定時のみパスワードの照合を行えればよいが、時刻同期を長期に渡って維持するのは困難であることから、真贋判定の信頼性において時刻同期の不要な本発明は優位であると言える。
【００２６】
また、ワンタイムパスワード方式では個々の真贋判定対象物全てに対してワンタイムパスワード生成アルゴリズムを保持しておく必要があり、数が増えると管理コストが大きくなる。しかし、本発明ではその必要がなく、スケーラビリティの面においても優位であると言える。
【００２７】
[第２実施形態]
次に、本発明の第２実施形態に係る通信システムについて説明する。第２実施形態に係る通信システムが第１実施形態に係る通信システムと構成上、異なるのは、無線ＩＣタグが、該無線ＩＣタグに付与された固有のＩＤを保持するＩＤ保持手段を有し、乱数情報とともに、上記固有のＩＤを真贋判定装置に送信できるようにしたことと、真贋判定装置において、無線ＩＣタグ及び真贋判定依頼者が使用する端末装置から乱数及びＩＤの組のデータを受信し、無線ＩＣタグから受信したＩＤと前記端末装置から受信したＩＤとが一致した場合にのみ前記無線ＩＣタグ及び前記端末装置から受信した乱数を照合し、該照合結果に基づいて真贋判定を行うようにしたことであり、他の構成は第１実施形態と同一であるので、重複する説明は省略する。また、第１実施形態と同一の構成については、説明の便宜上、同一の図面（図１、図３）を参照して説明する。
【００２８】
本発明の第２実施形態に係る通信システム（図１と同一である）における無線ＩＣタグ１０Ａの構成を図５に示す。同図において、無線タグ１０Ａは、乱数発生手段１００と、表示手段１１０と、送信手段１２０と、ＩＤ保持手段１４０と、電源供給手段１３０とを有している。上述したように、図２に示す第１実施形態に係る無線ＩＣタグ１０との相違は、ＩＤ保持手段１４０を有する点のみである。
【００２９】
上記構成において、ＩＤ保持手段１４０には、無線ＩＣタグに付与された固有の，真贋判定依頼者３０が認識可能なＩＤが保持されており、該ＩＤ保持手段１４０に保持されているＩＤが乱数発生手段１００が定期的に発生する乱数とあわせて送信手段１２０により、真贋判定装置２０に送信される。
【００３０】
次に、本発明の第２実施形態に係る通信システムにおける真贋判定装置２０（図１、図３）の処理内容を図６に示す。同図において、真贋判定装置２０は無線ＩＣタグ１０から定期的に送信される乱数ＡとID_Aの組を第１の受信手段２００により受信した後、保持する（ステップ４００）。
真贋判定依頼者３０は無線ＩＣタグ１０の表示手段１１０に乱数Ｂとともに表示されるID_Bを、端末装置３１に入力し、あるいは端末装置３１が表示手段１１０に表示されている乱数Ｂ及びID_Bを認識し、端末装置３１がこれらの乱数Ｂ及びID_Bを真贋判定装置２０に送信する。
【００３１】
真贋判定装置２０は、乱数ＢとID_Bの組のデータを受信し（ステップ４０１）、既に保持しているID_Aの中で、ID_Bが同じものが存在する時、保持している乱数Ａと乱数Ｂの比較作業へ進む（ステップ４０２）。乱数Ａと乱数Ｂが同じなら真贋判定対象は本物である旨のメッセージを真贋判定依頼者３０の使用する端末装置３１へ送信する（ステップ４０３、４０４）。
乱数Ａと乱数Ｂが異なるなら贋物である旨のメッセージを真贋判定依頼者３０の使用する端末装置３１へ送信する（ステップ４０３、４０５）。
【００３２】
本発明の第１実施形態では、真贋判定依頼者からは乱数のみ送信が送信される。この時、異なる真贋判定依頼者３０の使用する端末装置から同じ乱数が送信されることはないと仮定して、乱数のみで真贋判定を行っていた。したがって、異なる無線ＩＣタグが同じ乱数を発生し、かつ、ある真贋判定依頼者の使用する端末装置からそれと同じ乱数が送信されて来た場合、真贋判定依頼者の真贋判定対象物がどちらなのか特定できないという問題が生じる。
【００３３】
本発明の第２実施形態のように真贋判定対象物に固有なＩＤとの組み合わせで取り扱うことでそのような問題を回避することができる。第１実施形態においても、真贋判定対象物の数がそれほど多くなく、乱数の桁数が十分大きければ、異なる真贋対象物に取り付けられた無線ＩＣタグが同じ乱数を発生する確率は十分小さくすることが可能であり、実用上問題なく運用することができる場合もある。
【００３４】
本発明の第２実施形態によると、真贋判定対象物に取り付けられた無線ＩＣダダはそれ自身が広域無線アクセスネットワークを経由して真贋判定装置と通信するため、従来のようにＩＣタグリーダを用いる必要がなく、ユーザの利便性を向上させることができる。
なお、各実施形態において真贋判定対象物として、鞄を例にとり、鞄に無線ＩＣタグを取り付け、その真贋判定を行う場合を示したが、鞄以外の物でも同様の効果が得られるのは明らかである。
【図面の簡単な説明】
【００３５】
【図１】本発明の第実施形態に係る通信システムの概略構成を示す図。
【図２】図１に示した第実施形態に係る通信システムにおける無線ＩＣタグの構成の一例を示すブロック図。
【図３】図１に示した第実施形態に係る通信システムにおける真贋判定装置の構成を示すブロック図。
【図４】図１に示した第実施形態に係る通信システムにおける真贋判定装置の処理内容の一例を示すフローチャート。
【図５】図１に示した第実施形態に係る通信システムにおける無線ＩＣタグの他の構成例を示すブロック図。
【図６】図１に示した第実施形態に係る通信システムにおける真贋判定装置の処理内容の他の例を示すフローチャート。
【符号の説明】
【００３６】
１０、１０Ａ…無線ＩＣタグ、２０…真贋判定装置、３０…真贋判定依頼者、３１…端末装置、５０…公衆広域無線アクセスネットワーク（ネットワーク）、６０…インターネット（ネットワーク）、１００…乱数発生手段、１１０…表示手段、１２０、２２０…送信手段、１３０…電源供給手段、１４０…ＩＤ保持手段、２００…第１の受信手段、２１０…第２の受信手段、２３０…制御手段、
【図１】
2006195799.tif 000003
【図２】
2006195799.tif 000004
【図３】
2006195799.tif 000005
【図４】
2006195799.tif 000006
【図５】
2006195799.tif 000007
【図６】
2006195799.tif 000008